(57)【要約】【課題】居室内のセキュリティの設定をする際、各ユーザにあわせたセキュリティレベルを容易に設定できるようにする。【解決手段】ホスト装置６は、居室内の警戒設定装置９または居室の出入口に設けられた認証装置から、ユーザの認証情報を受け付けると、このユーザの認証情報および警戒設定情報を参照して、警戒設定を行うセキュリティ機器１１を選択する。そして、ホスト装置６は、この選択したセキュリティ機器１１へ警戒設定の指示を出力する。【選択図】図１
2008165682.tif 000002
【特許請求の範囲】
【請求項１】
記憶部に記憶された認証情報と、認証装置から入力されたユーザの認証情報とを照合して、当該ユーザの認証処理を行うセキュリティシステムのホスト装置であって、
居室への入室を許可するユーザの認証情報を記憶する認証情報記憶部と、
前記認証情報が登録されたユーザごとに、当該ユーザが前記居室に在室しているときに警戒設定を行うセキュリティ機器を示した警戒設定情報を記憶する警戒設定情報記憶部と、
各種データの入出力を司る入出力部と、
前記認証装置から、前記入出力部経由で、前記警戒設定の指示の入力および前記ユーザの認証情報を受け付けたとき、前記ユーザの認証情報および前記警戒設定情報を参照して、前記警戒設定を行うセキュリティ機器を選択し、前記選択したセキュリティ機器に警戒設定の指示を出力する警戒設定部と、
前記入出力部経由で、前記警戒設定の指示を出力したセキュリティ機器から、異常検知の信号を受信したとき、異常検知の発報を出力する発報処理部と、
を備えることを特徴とするセキュリティシステムのホスト装置。
【請求項２】
前記警戒設定情報は、
当該ユーザが前記居室に在室しているときに警戒設定を行うセキュリティ機器の組み合わせごとに、前記組み合わせにより実現される前記居室のセキュリティレベルに関する情報を含み、
前記警戒設定部は、
前記選択したセキュリティ機器に警戒の指示を出力した後、新たなユーザの認証情報および警戒設定の指示の入力を受け付けたとき、
前記警戒設定情報を参照して、前記新たなユーザに設定するセキュリティレベルが、前記現在居室内に設定されているセキュリティレベルよりも低いものであるか否かを判断し、前記新たなユーザに設定するセキュリティレベルが、前記現在居室内に設定されているセキュリティレベルよりも低いものであるとき、前記居室内において警戒設定を行うセキュリティ機器を、前記新たなユーザのセキュリティレベルに対応するセキュリティ機器に変更する指示を出力することを特徴とする請求項１に記載のセキュリティシステムのホスト装置。
【請求項３】
前記認証情報記憶部は、
前記ユーザの認証情報と、このユーザの名称とを対応付けて記憶し、
前記発報処理部は、
前記警戒設定の指示を出力したセキュリティ機器から、異常検知信号を受信したとき、前記認証情報記憶部の情報を参照して、前記異常検知の発報に、前記異常検知信号を受信したときのセキュリティレベルに対応するユーザの名称を含めて出力することを特徴とする請求項２に記載のセキュリティシステムのホスト装置。
【請求項４】
前記入力された認証情報が、前記認証情報記憶部に登録されているか否かを判断する認証処理部をさらに備え、
前記発報処理部は、
前記異常検知の信号を受信してから、所定時間以内に、前記入出力部経由で、前記異常検知の発報の中止を指示する指示入力および前記ユーザの認証情報の入力を受け付けたとき、前記認証処理部は、前記入力された認証情報が、前記認証情報記憶部に登録されているか否かを判断し、前記入力された認証情報が、前記認証情報記憶部に記憶されているとき、異常検知の発報を出力しないことを特徴とする請求項１ないし請求項３のいずれか１項に記載のセキュリティシステムのホスト装置。
【請求項５】
記憶部に記憶された認証情報と、認証装置から入力されたユーザの認証情報とを照合して、当該ユーザの認証処理を行うセキュリティシステムにおけるセキュリティ設定方法であって、
居室への入室を許可するユーザの認証情報を記憶する認証情報記憶部と、前記認証情報が登録されたユーザごとに、当該ユーザが前記居室に在室しているときに警戒設定を行うセキュリティ機器を示した警戒設定情報を記憶する警戒設定情報記憶部とを備え、前記セキュリティシステムの制御を行うホスト装置が、
前記認証装置から、前記警戒設定の指示の入力および前記ユーザの認証情報を受け付けるステップと、
前記ユーザの認証情報および前記警戒設定情報を参照して、前記警戒設定を行うセキュリティ機器を選択するステップと、
前記選択したセキュリティ機器に警戒設定の指示を出力するステップと、
を実行することを特徴とするセキュリティ設定方法。
【発明の詳細な説明】
【技術分野】
【０００１】
本発明は、セキュリティシステムにおけるセキュリティレベル設定技術に関する。
【背景技術】
【０００２】
従来、住宅の住人等、ユーザの外出時にセキュリティシステムの警戒モードをＯＮにすると、居室に設けられたセキュリティ機器（パッシブセンサ等）が作動して、留守宅への不正侵入等を検知するセキュリティシステムが知られている。このようなセキュリティシステムにおいて、警戒モードをＯＮにするときには、室内のすべてのセキュリティ機器を作動させるものしかなかった（特許文献１,２）。
【特許文献１】特開２０００−１２６１６０号公報
【特許文献２】特開２００５−０２３６０６号公報
【発明の開示】
【発明が解決しようとする課題】
【０００３】
しかし、幼い子供に留守番をさせるときに、両親等が居るときと同じセキュリティレベルを設定したのでは、幼い子供が室内に居るときの不正侵入の検知や火災検知等を行うことができず、外出する両親は不安を感じることがあった。一方、幼い子供に留守番をさせるとき、警戒モードをＯＮにして、室内のすべてのセキュリティ機器を作動させてしまうと、幼い子供が室内を動き回っただけでパッシブセンサ等が反応して発報してしまい大変不便である。つまり、従来技術において、幼い子供に留守番をさせる場合には、前記した不正侵入の検知や火災検知のみ行うようにする等、居室内に居るユーザごとに異なるセキュリティレベルを設定することはできなかった。
【０００４】
そこで、本発明は、前記した問題を解決し、セキュリティシステムにおいて、居室内に居るユーザごとに、セキュリティレベルを設定する手段を提供することを目的とする。
【課題を解決するための手段】
【０００５】
前記した課題を解決するため、本発明のセキュリティシステムのホスト装置は、ユーザごとに、このユーザが居室内に居るときに選択するセキュリティレベル、つまり、警戒設定を行うセキュリティ機器の組み合わせを示した警戒設定情報を備える構成とした。そして、ホスト装置が、ユーザの認証情報の入力を受け付けると、この警戒設定情報と認証情報とを参照して、警戒設定を行うセキュリティ機器を選択し、この選択したセキュリティ機器に警戒設定を行う構成とした。このような構成によれば、ホスト装置は、ユーザの認証情報をもとに、居室内のセキュリティレベルを選択し、設定するので、機器設定の変更等、複雑な操作をしなくても各ユーザにあわせたセキュリティレベルの設定をすることができる。なお、ここでの認証情報とは、例えば、ユーザが携帯するＩＣカード等に記憶されたユーザＩＤや、ユーザの生体情報等である。
【発明の効果】
【０００６】
本発明によれば、居室内に居るユーザごとのセキュリティレベル設定を容易に行うことができる。
【発明を実施するための最良の形態】
【０００７】
以下、本発明を実施するための最良の形態（以下、実施の形態という）を、第１の実施の形態および第２の実施の形態に分けて説明する。
【０００８】
＜第１の実施の形態＞
まず、図１〜図５を用いて第１の実施の形態を説明する。図１は、第１の実施の形態のシステムの構成例を示した図である。
【０００９】
図１に示すように、システムは、居室内のセキュリティ監視を行うセキュリティシステム１２と、このセキュリティシステム１２の管理を行う管理会社／警備会社のサーバ３と、この管理会社／警備会社のサーバ３から異常検知の電子メール等を受信するユーザ（居室の居住者等）の端末装置１と、これらを接続するネットワーク４とを含んで構成される。なお、ここでは、セキュリティシステム１２の監視対象の居室は１つのみしか示していないが複数の居室であってもよい。
【００１０】
ユーザの端末装置１は、例えば、携帯電話機、ＰＤＡ（Personal Digital(Data) Assistants）等であり、管理会社／警備会社のサーバ３は、Ｗｅｂサーバ等のコンピュータである。また、ネットワーク４は、公衆回線、移動体通信網、インターネット等である。このユーザの端末装置１、管理会社／警備会社のサーバ３およびセキュリティシステム１２はネットワーク４経由で通信を行うための通信インタフェースを備える。
【００１１】
セキュリティシステム１２は、セキュリティ機器１１（後記）等により、居室内の異常を検知すると、このネットワーク４経由で、管理会社／警備会社のサーバ３へ異常検知の発報を送信する。そして、管理会社／警備会社のサーバ３は、このような発報を受け取ると、警備員を居室へ向かわせたり、ユーザの端末装置１のアドレス宛に異常検知を知らせる電子メールを送信したりする。
【００１２】
セキュリティシステム１２は、セキュリティ機器１１の警戒設定やこのセキュリティ機器１１からの異常検知の信号を受信するホスト装置６、ユーザの認証情報や警戒設定指示の入力を受け付ける警戒設定装置（認証装置）９、このホスト装置６の各種設定情報等の入力を行うＰＣ（Personal Computer）１０、火災センサ等のセキュリティ機器１１および居室内の異常を検知したことを通知するブザー１３を含んで構成される。
【００１３】
なお、警戒設定装置９、セキュリティ機器１１、ブザー１３およびＰＣ１０は、ケーブルや無線等によりホスト装置６に接続される。この警戒設定装置９は、ユーザの認証情報の入力を受け付ける認証情報入力部９１を備え、ユーザの認証情報を受け付ける。
【００１４】
ホスト装置６は、ユーザごとに、このユーザが居室内に居るときに設定するセキュリティレベルに関する情報を記憶する。そして、ホスト装置６は、警戒設定装置９により警戒設定指示が送信されたとき、入力されたユーザの認証情報に基づき、このユーザに対して設定すべきセキュリティレベルを選択する。ホスト装置６は、そのセキュリティレベルに対応するセキュリティ機器１１に対し、警戒設定を行う。
【００１５】
例えば、ユーザの認証情報に基づき、選択されたレキュリティレベル「５」であり、このセキュリティレベルに対応するセキュリティ機器１１が「非常ボタン」である場合、ホスト装置６は、この「非常ボタン」に対し警戒設定を行う。
【００１６】
そして、ホスト装置６は、警戒設定を行ったセキュリティ機器１１から異常検知の信号を受信すると（前記した例でいうと、非常ボタンが押されると）、この異常検知を管理会社／警備会社のサーバ３へ送信したり、ブザー１３を鳴動させたりする。なお、このホスト装置６の詳細は、図２を用いて後記する。
【００１７】
警戒設定装置９は、ユーザから警戒設定の指示入力や警戒解除の指示入力を受け付けると、これをホスト装置６へ送信する。この警戒設定装置９は、前記のとおりユーザの認証情報の入力を受け付ける認証情報入力部９１を備え、警戒設定時および警戒解除には、ユーザの認証情報をホスト装置６へ送信する。
【００１８】
この認証情報入力部９１は、例えば、ＩＣカードリーダ、磁気カードリーダ、生体情報（虹彩、指紋、静脈等のパターン）の読み取り装置等により構成され、ユーザの認証情報として、ユーザが携帯するＩＣカード等に記憶されたユーザＩＤや、ユーザの生体情報等を読み取る。なお、この認証情報入力部９１は、テンキーのようにユーザの認証情報が暗証番号がとして入力されるものでもよい。
【００１９】
ホスト装置６は、警戒設定装置９から、このようなユーザの認証情報を受信することで、ユーザごとに異なるセキュリティレベルを設定することができる。例えば、親が外出し、居室内に子供が残って留守番する場合等に、親が警戒設定装置９に留守番する子供の認証情報を読み取らせ、警戒設定の入力をする。すると、このような情報を受信したホスト装置６は、この子供用のセキュリティレベルを選択し、このセキュリティレベルに対応するセキュリティ機器１１に対し警戒設定を行う。また、ホスト装置６がセキュリティ機器１１の警戒設定解除をするときにも、このような認証情報を用いることで、警戒設定解除をしようとしている人物が、確かにこのセキュリティシステム１２のユーザであることを確認した上で警戒設定解除をすることができる。
【００２０】
ＰＣ１０は、キーボードやマウス等の入力装置や、液晶ディスプレイ等の出力装置が接続され、ホスト装置６に、各種設定情報の入力を行う。例えば、居室の居住者やセキュリティシステム１２の管理者が、ＰＣ１０により、初期設定情報として、ユーザの認証情報や、ユーザごとのセキュリティレベル、そのセキュリティレベルに対応するセキュリティ機器１１の情報等の入力を行うと、このＰＣ１０は、この設定情報をホスト装置６へ送信し、ホスト装置６はこの設定情報を登録する。なお、このＰＣ１０は、ホスト装置６に蓄積された履歴情報等を読み出し、出力装置に画面表示するようにしてもよい。
【００２１】
セキュリティ機器１１は、居室内の異常を検知するセンサ等から構成される。このセンサは、例えば、非常ボタンが押されたことを検知するセンサ、火災を検知する火災センサ、ガスを検知するガスセンサ、窓や扉等が開けられたこと検知するマグネットセンサ、温熱や赤外線により所定エリア内に人が入ったことを検知するパッシブセンサ等である。そして、セキュリティ機器１１は、このセンサに反応があったとき、つまり、居室内の異常を検知したとき、異常検知を示す信号をホスト装置６へ送信する。なお、このセキュリティ機器１１に対する警戒設定は、ホスト装置６により行われる。つまり、ホスト装置６から警戒設定がされたセキュリティ機器１１は、前記したセンサ機能をＯＮにする。そして当該センサにより、火災が発生したことや、人が所定エリア内に侵入したことを検知すると、セキュリティ機器１１はホスト装置６に異常検知の信号を出力する。一方、ホスト装置６により警戒設定がされていないセキュリティ機器１１は、前記したセンサ機能をＯＦＦにする。つまり、居室内に火災が発生したり、所定エリア内に人が侵入したりしても、ＯＦＦ状態のセキュリティ機器１１はこれを検知しない。
【００２２】
ブザー１３は、ホスト装置６からブザーの鳴動指示を受信すると、ブザー音を鳴動させる。このようなブザー音の鳴動により、居室内のユーザに、異常検知や認証エラー等を知らせることができる。なお、このブザー１３は、セキュリティシステム１２において必須の構成ではない。
【００２３】
＜ホスト装置＞
次に、図１を参照しつつ、図２を用いてホスト装置６を詳細に説明する。図２は、図１のホスト装置の構成を詳細に示したブロック図である。
【００２４】
ホスト装置６は、図２に示すように、各種データの入出力を司る入出力部６１と、このホスト装置６全体の制御を行う制御処理部６２と、このホスト装置６が警戒設定を行うときに参照するプログラムやデータを記憶する記憶部６３と、図１のネットワーク４経由で、管理会社／警備会社のサーバ３と通信を行う通信部６４とを含んで構成される。
【００２５】
入出力部６１は、入出力インタフェースにより構成され、通信部６４はネットワーク４経由で通信を行うための通信インタフェースから構成される。制御処理部６２は、このホスト装置６が備えるＣＰＵ（Central Processing Unit）によるプログラム実行処理、または専用回路等により実現される。記憶部６３は、ＲＡＭ（Random Access Memory）、ＲＯＭ（Read Only Memory）、ＨＤＤ（Hard Disk Drive）、フラッシュメモリ等の記憶媒体から構成される。なお、制御処理部６２の機能を、前記したプログラムの実行処理により実現する場合、この記憶部６３には制御処理部６２の機能を実現するためのプログラムが格納される。
【００２６】
入出力部６１は、ＰＣ１０から入力されるホスト装置６の設定情報（ユーザの認証情報や警戒設定情報等）、セキュリティ機器１１からの異常検知信号、警戒設定装置９から入力される認証情報や警戒設定情報等を制御処理部６２に受け渡す。また、制御処理部６２から出力されるデータや信号を、ＰＣ１０、ブザー１３、セキュリティ機器１１等に出力する。
【００２７】
制御処理部６２は、ホスト装置６全体の制御を司る。この制御処理部６２は、警戒設定装置９から入力部６１経由で送信されたユーザの認証情報および警戒設定の指示入力に基づき、このユーザに対して設定すべきセキュリティレベルを選択する。このような制御処理部６２は、認証処理部６２１と、警戒設定部６２２と、ブザー鳴動部６２３と、異常検知部６２４と、発報処理部６２５とを含んで構成される。なお、破線で示した電気錠制御部６２６は、後記する第２の実施の形態の項で説明する。
【００２８】
認証処理部６２１は、警戒設定装置９から入力されたユーザの認証情報の入力を受け付けると、認証情報記憶部６３２を参照して、認証処理を行う。つまり、認証処理部６２１は、この認証情報が認証情報記憶部６３２に登録されているか否かを判断したり、当該認証情報に対応するユーザのユーザＩＤを特定したりする。
【００２９】
警戒設定部６２２は、警戒設定の指示入力およびユーザの認証情報を受け付けたとき、このユーザの認証情報および警戒設定情報記憶部６３１の警戒設定情報（詳細は後記）を参照して、警戒設定を行うセキュリティ機器１１を選択する。そして、警戒設定部６２２は、この選択したセキュリティ機器１１に対し、入出力部６１経由で警戒設定の指示信号を送信し、警戒設定を行う。なお、警戒設定部６２２は、セキュリティレベルを選択したとき、この選択したセキュリティレベルの情報を、記憶部６３に記憶しておく。
【００３０】
また、警戒設定部６２２は、居室内に警戒設定中、新たなユーザ（例えば、居室への入室者）の認証情報と警戒設定の指示入力とを受け付けたときには、警戒設定情報を参照して、この新たなユーザのセキュリティレベルを判断する。そして、新たなユーザのセキュリティレベルが、記憶部６３に記憶されている現在の居室のセキュリティレベルよりも低いとき、居室内のセキュリティレベルをその新しいユーザのセキュリティレベルに変更する。つまり、新たに居室に入室するユーザのセキュリティレベルの方が低ければ、警戒設定部６２２は、そのユーザにあわせて居室のセキュリティレベルを緩くする。
【００３１】
ブザー鳴動部６２３は、認証処理部６２１において認証エラーが発生したときや、セキュリティ機器１１において異常を検知したとき、ブザー１３を鳴動させる。
【００３２】
異常検知部６２４は、セキュリティ機器１１からの異常検知信号を受信すると、ブザー鳴動部６２３により、ブザー１３を鳴動させたり、発報処理部６２５経由で、管理会社／警備会社のサーバ３へ異常検知の発報を行ったりする。
【００３３】
発報処理部６２５は、前記した異常検知部６２４でセキュリティ機器１１からの異常検知信号を受信したとき、通信部６４経由で、管理会社／警備会社のサーバ３へ発報を行う。この発報内容には、現在居室内に設定されているセキュリティレベルや、そのセキュリティレベルが割当てられたユーザの名称、異常を検知したセキュリティ機器１１の名称、設置場所、異常を検知した日時等の情報を含める。管理会社／警備会社のサーバ３は、このような情報を含む発報を受け取ることで、異常が発生したのが、どの居室のどの場所かや、この居室に誰がいたのか等の情報を得ることができる。
【００３４】
なお、発報処理部６２５は、異常検知部６２４でセキュリティ機器１１の異常検知信号を受信した場合でも、所定時間以内であれば、異常検知の発報の中止を指示することができる。例えば、異常検知部６２４でセキュリティ機器１１の異常検知信号を受信してから、所定時間以内に、指示入力およびユーザの認証情報の入力を受け付けたとき、発報を中止する。つまり、発報処理部６２５において異常検知の発報の中止を指示する指示入力およびユーザの認証情報の入力を受け付けたとき、まず認証処理部６２１は、認証情報記憶部６３２の認証情報を参照して、認証処理を行い、この認証情報が確かに、このユーザの認証情報であるか否かを確認する。そして、この認証情報が、確かにユーザの認証情報であると判断したとき、異常検知の発報を中止する。このようにすることで、居室内のユーザがセキュリティ機器１１を間違って作動させてしまった場合でも、管理会社／警備会社のサーバ３へ発報しないようにすることができる。
【００３５】
次に、記憶部６３を説明する。記憶部６３は、所定領域に警戒設定情報記憶部６３１と、認証情報記憶部６３２とを備える。
【００３６】
警戒設定情報記憶部６３１は、警戒設定情報を記憶する。この警戒設定情報は、ユーザごとに、このユーザに対し選択すべきセキュリティレベルと、そのセキュリティレベルを対応するセキュリティ機器１１の識別情報等を示した情報である。この警戒設定情報は、警戒設定部６２２が警戒設定を行うときに参照される。この警戒設定情報を、表１を用いて詳細に説明する。
【００３７】
【表１】
2008165682.tif 000003
【００３８】
警戒設定情報は、例えば、表１に示すように、ユーザのユーザＩＤ（識別情報）およびユーザ属性ごとに、そのユーザが在室しているときに設定するセキュリティレベルの値と、そのセキュリティレベルに対応するセキュリティ機器１１の情報が示される。例えば、表１に例示する警戒設定情報において、ユーザＩＤ「１」、ユーザ属性「子供（幼稚園児）」のセキュリティレベルは「２」であり、「非常ボタン、火災センサ、ガスセンサ、マグネットセンサ」に警戒設定をすることを示す。つまり、幼稚園児の子供に留守番をさせるときには、「非常ボタン、火災センサ、ガスセンサ、マグネットセンサ」は作動させるが、「パッシブ（センサ）Ａ、パッシブ（センサ）Ｂ」については作動させないことを示す。ホスト装置６は、このような警戒設定情報に基づき警戒設定を行うことで、居室内において幼稚園児の子供が留守番をするときに、火災、ガスもれ、窓からの不正侵入を検知するが、人が裏口や玄関付近に近づいてもこれを検知しないようにすることができる。つまり、ホスト装置６は、警戒設定中でも、幼稚園児の子供が留守番中のときには、居室の裏口や玄関の出入を自由に行うことができるようなセキュリティレベルを実現できる。
【００３９】
また、表１に例示する警戒設定情報において、ユーザＩＤ「５、６」、ユーザ属性「両親」のセキュリティレベルは「５」であり、「非常ボタン」のみに警戒設定をすることを示す。つまり、両親が居室に居るときには、「非常ボタン」は作動させるが、「火災センサ、ガスセンサ、マグネットセンサ、裏口パッシブ（センサ）、玄関パッシブ（センサ）」については作動させない。これにより、ホスト装置６は、両親が居室に居るときに非常ボタンが押された場合、これを検知するが、火災、ガスもれは検知しない。また、窓の開閉、裏口および玄関付近の人の出入も検知しない。なお、表１に例示する警戒設定情報において、居室内に誰もいないときは、セキュリティレベル「１」を設定し、すべてのセキュリティ機器１１を作動させ、警戒設定を行うことを示す。また、ホスト装置６は、このセキュリティレベル「１」をデフォルト値としてもよい。
【００４０】
なお、この警戒設定情報は、表１に例示するように、各セキュリティ機器１１の設置場所の情報を含んでいてもよい。例えば、表１に例示する警戒設定情報において、非常ボタンは「トイレ」に設置され、火災センサおよびガスセンサは「台所」に設置され、マグネットセンサは「南側窓」に設置され、パッシブＡは「裏口」に設置され、パッシブＢは「玄関」に設置されることを示す。このセキュリティ機器１１の設置場所の情報は、発報処理部６２５が管理会社／警備会社のサーバ３へ発報する情報に含める。つまり、これにより管理会社／警備会社のサーバ３は、発報を受け取ると、居室のどこで異常が検知されたかすぐに知ることができる。また、この警戒設定情報は、ユーザＩＤ、ユーザ属性の他に、このセキュリティレベルに対応するユーザの名称等の情報を含んでいてもよい。
【００４１】
認証情報記憶部６３２は、居室を利用するユーザの認証情報を記憶する。この認証情報は、表２に例示するように、認証情報そのもの（生体情報で認証を行う場合、指紋や静脈のパターン等の生体情報そのもの）と、この認証情報に対応するユーザＩＤ等の情報を含む。この認証情報は、認証処理部６２１が認証処理を行うときや、発報処理部６２５が発報処理を行うときに参照される。なお、このユーザＩＤはユーザの名称であってもよい。
【００４２】
【表２】
2008165682.tif 000004
【００４３】
なお、この警戒設定情報および認証情報は、例えば、このセキュリティシステム１２を作動させる前に、居室の居住者やセキュリティシステム１２の管理者が、ＰＣ１０経由で入力する。
【００４４】
＜動作手順＞
次に、図１のシステムの動作を説明する。まず、図１および図２を参照しつつ、図３を用いて、セキュリティシステム１２の警戒設定手順を説明する。図３は、図１のセキュリティシステムの警戒設定手順を示したフローチャートである。
【００４５】
まず、警戒設定装置９は、認証情報入力部９１経由で、ユーザから警戒設定指示の入力を受け付けると、ホスト装置６へ警戒設定指示を送信する（Ｓ３１）。
【００４６】
ホスト装置６の警戒設定部６２２は、警戒設定装置９から警戒設定指示を受信すると、まず、セキュリティレベル「１」（最も高いセキュリティレベル）を選択する（Ｓ３２）。
【００４７】
また、警戒設定装置９は、認証情報入力部９１経由で、ユーザからこのユーザの認証情報の入力を受け付けると、この認証情報をホスト装置６へ送信する（Ｓ３３）。
【００４８】
ここで、ホスト装置６の警戒設定部６２２が、警戒設定指示を受信すると、この警戒設定指示を受信してから所定時間以内に、警戒設定装置９からの認証情報を受信したか否かを判断する（Ｓ３４）。ここで、警戒設定部６２２が、この警戒設定指示を受信してから所定時間以内に、警戒設定装置９からの認証情報を受信したとき（Ｓ３４のＹｅｓ）、認証処理部６２１において、この受信した認証情報が、認証情報記憶部６３２の登録データと一致するか否かを判断する（Ｓ３５）。つまり、警戒設定装置９により、警戒設定をしようとしているユーザの認証情報が、認証情報記憶部６３２に登録されているか否かを判断する。
【００４９】
ここで、認証処理部６２１において、認証情報が認証情報記憶部６３２の登録データと一致すると判断されたとき（Ｓ３５のＹｅｓ）、警戒設定部６２２は、受信した認証データに基づき、認証者（認証情報を入力したユーザ）のセキュリティレベルを選択する（Ｓ３６）。つまり、警戒設定部６２２は、受信した認証情報と、警戒設定情報（表１参照）とを参照して、この認証者のセキュリティレベルを判断する。
【００５０】
そして、警戒設定部６２２は、居室内のセキュリティレベルを、この認証者のセキュリティレベルに変更する（Ｓ３７）。つまり、警戒設定情報において、このセキュリティレベルに対応するセキュリティ機器１１に警戒設定を行う。
【００５１】
例えば、ユーザＩＤ「２」の子供（小学生）が留守番をするため、自身の認証情報を警戒設定装置９に入力した場合、表１に例示する警戒設定情報において、この認証者のセキュリティレベルは「３」である。したがって、警戒設定部６２２は、セキュリティレベルを「１」から「３」に変更し、このセキュリティレベル「３」を実現するセキュリティ機器１１へ警戒設定信号を出力する。つまり、警戒設定部６２２は、「非常ボタン」、「火災センサ」および「ガスセンサ」へ警戒設定信号を出力する。
【００５２】
なお、警戒設定部６２２が警戒設定を行ったとき、この警戒設定を行ったセキュリティレベルの情報を、居室内の現状のセキュリティレベルとして記憶部６３に記憶しておく。
【００５３】
一方、Ｓ３４において、ホスト装置６の警戒設定部６２２が、警戒設定指示を受信してから、所定時間以内に認証情報を受信しなかったとき（Ｓ３４のＮｏ）、あるいは、Ｓ３５において認証処理部６２１が、当該認証情報について認証情報記憶部６３２の登録データと一致しないと判断したとき（Ｓ３５のＮｏ）、警戒設定情報のセキュリティレベル「１」のセキュリティ機器１１に警戒設定を行う（Ｓ３８）。
【００５４】
このようにすることで、セキュリティシステム１２は、ユーザごとにセキュリティレベルを設定できる。
【００５５】
次に、図１および図２を参照しつつ、図４を用いて、新たなユーザ（例えば帰宅してきたユーザ）が居室に入室したときに、居室のセキュリティレベルを、この新たなユーザ用のセキュリティレベルに変更する手順を説明する。図４は、図１のセキュリティシステムがセキュリティレベルを変更する手順を示したフローチャートである。
【００５６】
ホスト装置６は、図３に示したような手順により、居室に警戒設定を行った後、警戒設定装置９から認証情報入力部９１を介して、認証情報の入力を受け付けると、警戒設定指示と、この認証情報とをホスト装置６へ送信する（Ｓ４１）。
【００５７】
ホスト装置６の警戒設定部６２２は、警戒設定装置９から警戒設定指示と認証情報とを受信すると、前記した図３のＳ３６と同様に、受信した認証情報に基づき、認証者のセキュリティレベルを選択する（Ｓ４２）。つまり、警戒設定部６２２は、受信した認証情報と、警戒設定情報（表１参照）とを参照して、この認証者のセキュリティレベルを判断する。
【００５８】
次に、警戒設定部６２２は、記憶部６３に記憶された居室内の現状のセキュリティレベルと、Ｓ４２で選択した認証者のセキュリティレベルとを比較する（Ｓ４３）。
【００５９】
ここで、現状のセキュリティレベルよりも、認証者（新たなユーザ）のセキュリティレベルの方が低いとき（Ｓ４４のＹｅｓ）、警戒設定部６２２は、居室内のセキュリティレベルを、認証者のセキュリティレベルに変更する（Ｓ４５）。つまり、警戒設定情報を参照して、この認証者のセキュリティレベルを選択し、このセキュリティレベルに対応するセキュリティ機器１１に警戒設定信号を出力する。
【００６０】
例えば、子供（幼稚園児）用にセキュリティレベル「２」が設定されている居室に、両親（セキュリティレベル「５」）が入室したとき、現状のセキュリティレベルよりも、認証者（両親）のセキュリティレベルの方が低いので、警戒設定部６２２は、居室のセキュリティレベルを両親用のセキュリティレベル「５」に下げる。すなわち、警戒設定部６２２は、警戒設定情報を参照して、このセキュリティレベル「５」の「非常ボタン」のみ警戒設定を行い、その他のセキュリティ機器１１の警戒設定を解除する。
【００６１】
一方、現状のセキュリティレベルが、認証者（新たなユーザ）のセキュリティレベルと同じか、それよりも低いとき（Ｓ４４のＮｏ）、警戒設定部６２２は、現状の居室内のセキュリティレベルを維持する（Ｓ４６）。
【００６２】
例えば、両親用のセキュリティレベル「５」が設定されている居室に、子供（幼稚園児、セキュリティレベル「２」）が入室したとき、現状のセキュリティレベルよりも、認証者（子供（幼稚園児））のセキュリティレベルの方が高いので、警戒設定部６２２は、居室のセキュリティレベルを「５」のままにする。すなわち、警戒設定部６２２は、セキュリティ機器１１の警戒設定解除を行わない。
【００６３】
このようにすることで、セキュリティシステム１２は、セキュリティレベルをより緩やかに設定すればよいユーザが入室したとき、居室のセキュリティレベルを、セキュリティレベルを緩やかにすることができる。つまり、セキュリティシステム１２は、入室するユーザごとのセキュリティレベルを設定できる。
【００６４】
次に、図１および図２を参照しつつ、図５を用いて、ホスト装置６がセキュリティ機器１１から異常検知信号を受信したときの手順を説明する。図５は、図２のホスト装置がセキュリティ機器から異常検知信号を受信したときの手順を示したフローチャートである。
【００６５】
ホスト装置６の異常検知部６２４は、異常検知を待ち（Ｓ５１）、異常を検知したとき（Ｓ５１のＹｅｓ）、つまり、セキュリティ機器１１から異常検知信号を受信したとき、ブザー鳴動部６２３により、ブザー１３を鳴動させる（Ｓ５２）。
【００６６】
そして、異常検知部６２４が、異常を検知してから所定時間以内に警戒設定装置９から認証情報を受信し（Ｓ５３のＹｅｓ）、この認証情報が警戒設定解除指示を含むとき（Ｓ５４のＹｅｓ）、認証処理部６２１において、この認証情報が、認証情報記憶部６３２の登録データと一致するか否かを判断する（Ｓ５５）。つまり、認証処理部６２１は、警戒設定を解除しようとしているユーザが、認証情報記憶部６３２に認証情報が登録されたユーザであるか否かを確認する。
【００６７】
ここで、認証処理部６２１において、この認証情報が、認証情報記憶部６３２の登録データと一致すると判断したとき（Ｓ５５のＹｅｓ）、警戒設定部６２２は、現在警戒設定がされているセキュリティ機器１１の警戒設定を解除し、ブザー鳴動部６２３にブザー１３の鳴動停止を指示する（Ｓ５６）。つまり、警戒設定部６２２は、警戒設定を解除しようとしているユーザが確かに認証情報の登録されたユーザであることを確認すると、警戒設定を解除する。
【００６８】
一方、異常検知部６２４が、警戒設定装置９から受信した認証情報が、警戒設定解除指示を含むものでなく（Ｓ５４のＮｏ）、警戒設定指示を含むものであるとき（Ｓ５７のＹｅｓ）、Ｓ５６と同様に、認証処理部６２１において、この認証情報が、認証情報記憶部６３２の登録データと一致するか否かを判断する（Ｓ５８）。つまり、認証処理部６２１は、警戒設定をしようとしているユーザが、認証情報記憶部６３２に認証情報が登録されたユーザであるか否かを確認する。一方、異常検知部６２４が、警戒設定装置９から受信した認証情報が、警戒設定指示を含まないとき（Ｓ５７のＮｏ）、発報処理部６２５は、管理会社／警備会社のサーバ３へ発報する（Ｓ６１）。
【００６９】
ここで、認証処理部６２１において、この認証情報が、認証情報記憶部６３２の登録データと一致すると判断したとき（Ｓ５８のＹｅｓ）、警戒設定部６２２は、警戒設定を維持したまま、ブザー鳴動部６２３にブザー１３の鳴動停止を指示する（Ｓ５９）。なお、このときの警戒設定におけるセキュリティレベルの選択は、前記した図４と同様の手順により行われる。つまり、警戒設定装置９に認証情報を入力した認証者のセキュリティレベルが、現状のセキュリティレベルよりも低ければ、その認証者のセキュリティレベルに変更するが、認証者のセキュリティレベルが、現状のセキュリティレベルよりも低くなければ、現状のセキュリティレベルを維持する。
【００７０】
一方、Ｓ５５およびＳ５８において、認証情報が、認証情報記憶部６３２の登録データと一致しなかったとき（Ｓ５５のＮｏおよびＳ５８のＮｏ）、認証処理部６２１は、認証ＮＧと判断し（Ｓ６０）、Ｓ５３に戻る。このとき、認証処理部６２１は、ブザー鳴動部６２３によりブザー１３を鳴動させ、ユーザに認証ＮＧを通知するようにしてもよい。
【００７１】
また、Ｓ５３において、異常検知部６２４が、異常を検知してから所定時間経過しても警戒設定装置９から認証情報を受信しなかったとき（Ｓ５３のＮｏ）、つまり、異常を検知したにもかかわらず、ユーザの認証情報を受信しなかったとき、発報処理部６２５は、管理会社／警備会社のサーバ３へ発報する（Ｓ６１）。このときの発報は、現在居室内に設定されているセキュリティレベルや、そのセキュリティレベルが割当てられたユーザの名称、異常を検知したセキュリティ機器１１の名称、設置場所、異常を検知した日時等の情報を含める。これらの情報は、記憶部６３に記憶されている現状のセキュリティレベル、警戒設定情報に記録されたセキュリティ機器１１の名称、設置場所、当該セキュリティレベルに対応するユーザの名称等を用いる。
【００７２】
そして、このような発報を受信した管理会社／警備会社のサーバ３は、この発報に含まれる情報（当該セキュリティレベルに対応するユーザの名称、異常を検知したセキュリティ機器１１の名称、設置場所、異常を検知した日時等の情報）を電子メールでユーザの端末装置１へ送信する。このようにすることで、外出中の家族等が、居室内の異常発生を知ることができる。また、このとき異常が発生したとき居室内に居たユーザの名称、異常を検知したセキュリティ機器１１の名称、異常を検知した場所、日時等を知ることができる。
【００７３】
なお、各ユーザの名称と、そのユーザのセキュリティレベルを示した情報は、ホスト装置６が保持するようにしてもよいし、管理会社／警備会社のサーバ３側が保持するようにしてもよい。この場合、ホスト装置６はセキュリティレベルの値を発報すれば、管理会社／警備会社のサーバ３側で、このセキュリティレベルに対応するユーザの名称を検索し、そのユーザの名称を電子メールで通知することができる。
【００７４】
なお、警戒設定装置９は、警戒設定ボタンと警戒設定解除ボタンと、２つのボタンを設けて、警戒設定／警戒設定解除どちらの指示入力がされたかを判断してもよいし、１つのボタンの操作方法によって、どちらの指示入力がされたか判断するようにしてもよい。例えば、１つのボタンの操作方法によって、どちらの指示入力がされたか判断する場合、ボタンを押しながら、認証情報入力部９１に認証情報の入力を行ったときには、警戒設定装置９は、警戒設定の指示入力がされたと判断し、ボタンを押し終わった後に認証情報の入力を行ったときには、警戒設定解除の指示入力がされたと判断する。
【００７５】
＜第２の実施の形態＞
次に、本発明の第２の実施の形態を説明する。図６は、第２の実施の形態のシステムの構成例を示した図である。図６に示すように、第２の実施の形態のセキュリティシステム１２Ａは、ユーザの入退室管理のための認証装置７を備え、この認証装置７の認証情報をセキュリティレベル選択にも用いることを特徴とする。この認証装置７は、例えば、居室の出入口付近に設置される。つまり、ユーザが居室の出入口から退室して警戒設定をするとき、認証装置７に認証情報を読み取らせ、ホスト装置６Ａはこの認証情報の入力を受け付ける。次に、ホスト装置６Ａは、この入力された認証情報（つまり外出者の認証情報）をもとに、居室内のユーザを把握する。そして、ホスト装置６Ａは、この居室内のユーザ用のセキュリティレベルを選択し、警戒設定を行うことを特徴とする。
【００７６】
なお、この認証装置７は、ユーザの認証情報の入力を受け付ける装置であり、ＩＣカードリーダ、磁気カードリーダ、生体情報（虹彩、指紋、静脈等のパターン）の読み取り装置等により実現される。また、この認証装置７は、警戒設定の指示入力を行うための警戒設定ボタン等を備える。ここでの認証装置７も、テンキー等によりユーザの暗証情報として暗証番号の入力を受け付けるようにしてもよい。
【００７７】
また、図２に示すように、第２の実施の形態のホスト装置６Ａは、電気錠制御部６２６を含む。この電気錠制御部６２６は、認証処理部６２１において認証装置７から入力された認証情報が登録データと一致すると判断されたとき、電気錠８を解錠する。つまり、ホスト装置６Ａは、入室者の認証情報をもとに電気錠８の施錠／解錠を制御する。前記した第１の実施の形態と同様の構成要素は同じ符号を付して、説明を省略する。
【００７８】
次に、図２、図４および図６を参照しつつ、図７を用いてセキュリティシステム１２Ａの動作を説明する。図７は、図６のセキュリティシステムの警戒設定手順を示したフローチャートである。
【００７９】
ここでは、両親２人が外出時、居室の外にある認証装置７に自身の認証情報と、警戒設定指示とを入力し、ホスト装置６Ａに居室内のセキュリティレベルを祖父母用に変更させる場合を例に説明する。
【００８０】
まず、認証装置７は、外出するユーザから警戒設定指示および認証情報の入力を受け付けると、これらの情報をホスト装置６Ａへ送信する（Ｓ７１）。
【００８１】
ホスト装置６Ａの警戒設定部６２２は、認証装置７から、警戒設定指示と外出するユーザの認証情報とを受信すると、この認証情報に基づき、居室内のユーザを把握する（Ｓ７２）。すなわち、警戒設定部６２２は、警戒設定情報（表１参照）を参照して、両親が外出し、祖父母と、子供（小学生）と、子供（幼稚園児）とが居室内に残ることを把握する。
【００８２】
そして、警戒設定部６２２は、この居室内のユーザ用のセキュリティレベルを選択する（Ｓ７３）。例えば、Ｓ７２で、警戒設定部６２２が、祖父母と、子供（小学生）と、子供（幼稚園児）とが居室内に残ると判断したとき、これらのうち、最もセキュリティレベルが低いユーザ（祖父母）のセキュリティレベル「４」を選択する。
【００８３】
そして、警戒設定部６２２は、この選択したセキュリティレベルを設定する（Ｓ７４）。つまり、警戒設定情報を参照して、この選択したセキュリティレベルに対応するセキュリティ機器１１に警戒設定を行う。例えば、警戒設定部６２２は、警戒設定情報を参照して、非常ボタンと、火災センサに対し警戒設定を行う。
【００８４】
このような方法によっても、ホスト装置６Ａは、ユーザごとのセキュリティレベルの設定を行うことができる。
【００８５】
次に、図２および図６を参照しつつ、図７を用いて、新たなユーザ（例えば帰宅してきたユーザ）が入室したときに、居室のセキュリティレベルを、この新たなユーザ用のセキュリティレベルに変更する手順を説明する。図８は、図６のセキュリティシステムがセキュリティレベルを変更する手順を示したフローチャートである。
【００８６】
ホスト装置６Ａが、図７に示したような手順により、居室に警戒設定を行った後（Ｓ８０）、認証装置７から認証情報の入力を受け付けると、この認証情報をホスト装置６Ａへ送信する（Ｓ８１）。つまり、帰宅したユーザが認証装置７に認証情報を入力すると、認証装置７はこの認証情報を、ホスト装置６Ａへ送信する。
【００８７】
ホスト装置６Ａの認証処理部６２１は、認証装置７から認証情報を受信すると（Ｓ８２）、受信した認証情報が認証情報記憶部６３２の登録データと一致するか否かを判断する（Ｓ８３）。つまり、認証処理部６２１は、入力されたユーザの認証情報が、認証情報記憶部６３２に登録されているか否かを判断する。
【００８８】
ここで、認証処理部６２１において、認証情報が認証情報記憶部６３２の登録データと一致すると判断されたとき（Ｓ８３のＹｅｓ）、電気錠制御部６２６は、電気錠８を解錠する（Ｓ８５）。これにより、ユーザは居室内に入室できる状態になる。一方、認証処理部６２１において、認証情報が認証情報記憶部６３２の登録データと一致しないと判断されたとき（Ｓ８３のＮｏ）、ブザー鳴動部６２３が認証ＮＧをブザー１３等により通知する（Ｓ８４）。そして、Ｓ８２に戻り、認証処理部６２１は、認証情報の受信を待つ。
【００８９】
Ｓ８５で、ホスト装置６Ａが、電気錠８を解錠した後、警戒設定部６２２は、Ｓ８２で受信した認証情報、つまり、ユーザが居室に入室したときに入力した認証情報に基づきセキュリティレベルを選択する（Ｓ８６）。すなわち、警戒設定部６２２は、警戒設定情報（表１参照）を参照して、入室するユーザに対応するセキュリティレベルを選択する。この後の、Ｓ８７〜Ｓ９０までの処理は、前記した図４のＳ４３〜Ｓ４６までの処理と同様なので、説明を省略する。
【００９０】
このようにすることでも、セキュリティシステム１２Ａは、居室のセキュリティレベルを変更することができる。なお、このセキュリティシステム１２Ａは、第１の実施の形態のように居室の内部に警戒設定装置９を備え、この警戒設定装置９から、居室内のユーザの認証情報の入力や警戒設定を行えるようにしてもよい。この場合、ホスト装置６Ａは、警戒設定装置９から送信された認証情報については、居室内のユーザの認証情報と判断し、認証装置７から送信された認証情報については、居室外のユーザの認証情報と判断し、セキュリティレベルの選択を行うようにすればよい。
【００９１】
本実施の形態に係るホスト装置６,６Ａは、前記したような処理を実行させるセキュリティレベル設定用プログラムによって実現することができ、そのプログラムをコンピュータによる読み取り可能な記憶媒体（ＣＤ−ＲＯＭ等）に記憶して提供することが可能である。また、そのプログラムを、インターネット等のネットワークを通して提供することも可能である。
【図面の簡単な説明】
【００９２】
【図１】第１の実施の形態のシステムの構成例を示した図である。
【図２】図１のホスト装置の構成を詳細に示したブロック図である。
【図３】図１のセキュリティシステムの警戒設定手順を示したフローチャートである。
【図４】図１のセキュリティシステムがセキュリティレベルを変更する手順を示したフローチャートである。
【図５】図２のホスト装置がセキュリティ機器から異常検知信号を受信したときの手順を示したフローチャートである。
【図６】第２の実施の形態のシステムの構成例を示した図である。
【図７】図６のセキュリティシステムの警戒設定手順を示したフローチャートである。
【図８】図６のセキュリティシステムがセキュリティレベルを変更する手順を示したフローチャートである。
【符号の説明】
【００９３】
１      端末装置
３      管理会社／警備会社のサーバ
４      ネットワーク
６,６Ａ  ホスト装置
７      認証装置
８      電気錠
９      警戒設定装置
１１    セキュリティ機器
１２,１２Ａ  セキュリティシステム
１３    ブザー
６１    入出力部
６２    制御処理部
６３    記憶部
６４    通信部
９１    認証情報入力部
６２１  認証処理部
６２２  警戒設定部
６２３  ブザー鳴動部
６２４  異常検知部
６２５  発報処理部
６２６  電気錠制御部
６３１  警戒設定情報記憶部
６３２  認証情報記憶部
【図１】
2008165682.tif 000005
【図２】
2008165682.tif 000006
【図３】
2008165682.tif 000007
【図４】
2008165682.tif 000008
【図５】
2008165682.tif 000009
【図６】
2008165682.tif 000010
【図７】
2008165682.tif 000011
【図８】
2008165682.tif 000012